(57)【要約】      （修正有）【課題】一度貼り付けた片面に粘着性の接着剤がついたテープを物体に貼り付けた後、必要がなくなって剥がすとき困難であったのを、簡単に剥がす事が出来るテープカッターを提供する。【解決手段】片面に粘着性のある接着剤が付いたテープ２を切断するとき、テープカッター刃５に隣接して接着剤を弱める液体の浸み込ませてある布４やスポンジ等を設置し、テープを切断した時、切断箇所の一部に滲み出た液体が附着するように設計されており、切断したテープの切れ端の接着剤の一部分に液体の附いたテープを作成することが出来る。この切断したテープを貼り付けた後に必要がなくなって剥がすとき、液体が附いて接着剤の力が弱まった方の切断面より剥がすと簡単に剥がし取る事が出来る。【選択図】図１
0003143038.tif 000002
【実用新案登録請求の範囲】
【請求項１】
片面に粘着性の接着剤が付いたテープを切断時に、カッター刃の隣接部に滲出た液体がテープ切断箇所の接着剤の一部に附着する事を特徴とするテープカッター。
【請求項２】
液体の滲出部に隣接してテープの切れ端を保持するための固定版を取り付けた請求項目１に記載のテープカッター。
【考案の詳細な説明】
【技術分野】
【０００１】  本考案はセロハンテープ等の片面に粘着性の接着剤が付いたテープを切り取り物体に貼り付けた後、必要がなくなり剥がすとき簡単に剥がせることが出来るテープカッターに関するものである。
【背景技術】
【０００２】  一度貼り付けられたセロハンテープ等を後で必要がなくなり剥がすとき、貼り付けられた物によっては大変剥がしにくく、時には無理やり剥がしていて貼り付けていた物体を破損してしまう事もあった。またテープを切り終わった後本体側テープの端がカッター刃から外れテープロール本体に巻き戻ってしまったとき、ロールからテープの端を取りだすときも剥がれにくく苦労が伴っていた。
【考案の開示】
【考案が解決しようとする課題】
【０００３】  セロハンテープ等の粘着性の接着剤が付いたテープはなぜ剥がしにくいかを考えてみると、セロハンテープ等の用途は、本来該当物体に完全に接着し簡単には剥がれないようにテープ片面全体に粘着性のある接着剤が塗られているためであるが、貼り付けた後に必要がなくなり剥がすとき剥がしにくいという事と、テープがロール本体に巻き戻ってしまったときにも、ロールから剥がしにくいと言う課題を同時に解決しようとするものである。【０００４】  従来技術においてはテープの粘着性を弱める事に関する記載が特許公開２００５−３４３６９２に見られる、又テープの端を折り曲げることに関しては実用新案公開平５−７５２５０、実用新案公開第３０８７０１８等があり、テープの端に小紙片を貼り付ける事に関しては特許公開平９−２２７０１７と実用新案平５−０４０２５５等がある。
【課題を解決するための手段】
【０００５】  テープに塗られている粘着性の接着剤は水分に弱いと言う欠点を利用し、切断したテープの一部分だけに水分を附けて接着力を弱めておけば、テープを剥がすとき接着力が弱くなったその場所から引き剥がせば簡単に剥がす事が出来る。
【考案の効果】
【０００６】  切断したセロハンテープの片方の端１ｃｍほどを水で濡らしプラスチックのケースに貼り付けた後に剥がしてみると簡単に剥がせた、これにより考案の効果が確認できた。
【考案を実施するための最良の形態】
【０００７】  本考案のテープカッターは図１の様に固定台の上のテープやカッター刃の設置形態は市販されている卓上用のテープカッター台と同じ様な形であるが、５のカッターの刃に隣接する所に６の様な凹状の窪みを設け、その窪みに吸収性の良い布やスポンジ等を入れておき、その布４の端を窪みの上部カッター刃に隣接して固定しておく、窪みの中に液体を入れると毛細管現象で液体が布やスポンジの表面まで滲み出て来る、又窪みの横にある刃の反対側に隣接して、切り取った後のテープ端が戻らないようにテープ固定板３を設置したこの様な形態でテープを切断すると剥がしやすいテープを作ることが出来る。【０００８】  刃に隣接する布の巾は、貼り付けるテープの長さにもよるが５ｍｍ〜２０ｍｍ位で良く、狭いと液体が附きにくく広すぎると液体が附きすぎて、接着力が弱まりすぎテープを貼り付けた後で剥がれてくる可能性があるため１０ｍｍ前後が良い。
次に刃に隣接する布やスポンジの高さは刃より０．５ｍｍほど高くしておけば液体が附きやすい。【０００９】  使用する液体としては短期間で剥がす時は単純に水を用いることも可能であるが、長期間テープを貼り付けた後剥がすときには水分が蒸発してしまい、弱った接着力が元に戻り剥がしにくく成るため、身近にある家庭用の台所洗剤液などがテープ貼り付けた物体を汚染しにくく又弱った接着力も復元しにくいから使用が好まれる。
【実施例１】
【００１０】  何時も使っている掲示板に、本考案のテープカッターで切り取ったテープを用いてポスターを貼り付け１週間後に剥がしたが簡単に剥がす事が出来た。
今回は液体に台所用洗剤を使用していたので、テープを剥がしたあと掲示板にテープの接着剤が少し附着していたが、湿らした布でふき取ったところ洗剤の効果もありきれいにふき取ることが出来た。
【実施例２】
【００１１】  使用しているときテープ固定板３からテープ２が剥がれ、テープロール１の方に巻戻されたがテープの端を引っ張るだけで簡単にテープロールから外すことが出来た、今まではテープロールに巻き戻されたテープの端を剥がすのは大変だった。
【実施例３】
【００１２】  プラスチックの箱に商品を入れ蓋をしたとき、蓋が外れないように本考案のテープカッターで切り取ったテープで四方を固定して届けた、後日受け取ったお客様から何時もは蓋を開けるときテープが剥がしにくくて困ったが今回は簡単に剥がす事が出来たと、感謝の電話があった。
【産業上の利用可能性】
【００１３】  構造的に簡単であるから故障も少なく、補充する液体は水でも良いが家庭用台所洗剤液などで接着剤の粘着力を弱める効果のあるものなら何でも間に合わせる事が出来るが、貼り付けられる物体の表面を汚損さすような液体は避けた方が良い、必要がなくなった時に簡単にテープを剥がす事が出来るし、構造的に簡単なため安価で作成することも出来るから産業上の利用価値は大いにあると思う。
【図面の簡単な説明】
【００１４】
【図１】  本考案のテープカッター全体図
【図２】  主要部分の拡大図
【符号の説明】
【００１５】  １  テープロール    ２  テープ    ３  固定板    ４  液の浸み込んだ布    ５  カッターの刃    ６  液体の入る窪み    ７  テープカッター固定台
【図１】
0003143038.tif 000003
【図２】
0003143038.tif 000004
【手続補正書】
【提出日】平成20年5月2日(2008.5.2)
【手続補正１】
【補正対象書類名】実用新案登録請求の範囲
【補正対象項目名】全文
【補正方法】変更
【補正の内容】
【実用新案登録請求の範囲】
【請求項１】
片面に接着剤を塗布し、ロール状に卷回してあるセロハンテープロールの中心軸を回転自在に保持する固定台と、該固定台の端部にテープを所望の長さに引き出し切断するカッター刃を設置したテープカッターであって、該テープカッター刃に隣接してテープロール側に液体収納用凹部を設け、凹部の中に吸収性のよい布やスポンジ等を入れておき、凹部の中に液体が入ったとき、毛細管現象で液体が布やスポンジの表面まで滲み出てきて、テープ切断時にテープ切断箇所の接着剤の一部に液体を附着させることを特徴とするテープカッター。
【請求項２】
液体収納用凹部に隣接しテープホルダー側にテープの切れ端を保持するための固定板を取り付けた請求項１に記載のテープカッター。
【手続補正２】
【補正対象書類名】明細書
【補正対象項目名】全文
【補正方法】変更
【補正の内容】
【考案の詳細な説明】
【技術分野】
【０００１】
本考案は支持体の片面に粘着性の接着剤を塗布したテープ等を被着体に貼り付けた後、剥がす必要が生じた場合、簡単に剥がすことができるテープカッターに関するものである。
【背景技術】
【０００２】
従来のテープカッターは、支持体の片面に接着剤を塗布し、ロール状に卷回してあるセロハンテープ（以後、セロファンテープもしくは単にテープともいう）の中心軸を回転自在に保持する固定台と、該固定台の端部にテープを切断するためのカッター刃とからなり、使用に際してはロール状に卷回してあるセロハンテープの一端を引き出し所望の長さを被着体に貼着しカッター刃で切断し、テープ本体側の切断端部はカッター刃に付着させている。このようにして使用しているセロファンテープであるが、被着体に一度貼り付けたあと、テープを剥がす必要が生じたとき、被着体によっては大変剥がし難く、時には無理やり剥がして被着体を破損してしまうことがあった。また、テープを切断後、本体側テープの切断端部がカッター刃から外れ、テープロール本体に巻き戻ってしまうことがあり、このような場合、再度使用に際してはテープの端部をロール本体から取り出し難いということがあった。
セロハンテープ等は、該当物体に完全に接着し簡単には剥がれないようにすることが、本来の目的であり、そのため、テープ片面全体に粘着性のある接着剤が塗布されているので、貼り付けた後に必要が無くなり剥がしたり、或いは、テープがロール本体に巻き戻ってしまったときロールから剥がし易いようにすることは余り考慮されていなかった。
【０００３】
しかし、このような不便を改良するために種々の工夫がなされている。例えば特許文献１にはテープの切り口に白墨の粉末を付着させることが開示されており、特許文献２および特許文献３にはセロハンテープ切断刃の直前に、紙片を設置しテープ端部の粘着面に小紙片を貼り付けている。或いは、特許文献４および特許文献５にはテープの切断端部を折り曲げることが開示されている。しかし、特許文献１では粉末状のチョークを介在させるため汚れを生じやすく、また、特許文献２および３のように小紙片を介在させるには、小さな紙片をテープカッターに装着する手間がかかり、また、使用する特殊な紙片のためコスト高になるという不便がある。更に、特許文献４および５に示されているようなテープの切断端部を折り返す方法ではテープの一時保持部とカッターとの間隙を調節する等の手段を必要とするので、その機構は複雑となる等の欠点があった。
更に、従来の何れの方法も簡単に剥がすことが出来るが、剥がした後は再度元のように貼りなおすことが出来るため、食品関係の容器等に使用するには問題があった。
【特許文献１】特開２００５−３４３６９２号公報
【特許文献２】実開平５−４０２５５号公報
【特許文献３】特開平９−２２７０１７号公報
【特許文献４】実開平５−７５２５０号公報
【特許文献５】実用新案登録第３０８７０１８号公報
【考案の開示】
【考案が解決しようとする課題】
【０００４】
本考案者は上記の点を改良し、より簡単な手段によりセロファンテープの端部を剥がす必要が生じたときに容易に剥がせたり、再度使用に際してテープ本体より切断端部を容易に引き出せるように種々検討した結果、セロファンテープの粘着性の接着剤は水分に弱いという欠点を利用して切断したテープの一部分だけに水分を付着して接着力を弱めておけば、テープを剥がすとき接着力が弱くなったその場所より引き剥がすことによって簡単に剥がすことができることを見出し、本考案を完成したもので、本考案は剥がす必要が生じたときに容易に剥がせたり、テープ本体側の切断端部を容易に引き出せるようにしたセロファンテープのテープカッターを提供する。
【課題を解決するための手段】
【０００５】
本考案の要旨は、片面に接着剤を塗布し、ロール状に卷回してあるセロハンテープロールの中心軸を回転自在に保持する固定台と、該固定台の端部にテープを所望の長さに引き出し切断するカッター刃を設置したテープカッターであって、該テープカッター刃に隣接してテープロール側に液体収納用凹部を設け、凹部の中に吸収性のよい布やスポンジ等を入れておき、凹部の中に液体が入ったとき、毛細管現象で液体が布やスポンジの表面まで滲み出てきて、テープ切断時にテープ切断箇所の接着剤の一部に液体を附着させることを特徴とするテープカッターである。
即ち、本考案は、テープに塗られている粘着性の接着剤は水分に弱いという欠点を利用し、切断したテープの一部分だけに水分を附けて接着力を弱めておけば、テープを剥がすとき接着力が弱くなったその場所から引き剥がせば簡単に剥がすことができる。そして、接着力が弱まっているので、再度貼り直しても接着せず、剥がしたことが確認できる。
【考案の効果】
【０００６】
本考案においては液体を使用してテープを切断、被着体に貼り付けているので、貼り付けられたテープは見た目では従来のテープとまったく同じ状態で貼り付けられており、単に剥がす部分が液体により粘着力が弱まっているだけなので、きれいに貼り付けることが出来、従来方法である紙片を付着したり、端部を折り曲げて貼り付けた場合に比してきれいに貼り付けることが出来、更に、粘着力が弱まっているため一旦剥がすと又元のように貼り付けることは出来ず、従って、見た目にも一度剥がしたことが容易に確認できるので改鼠防止効果を有する。
【考案を実施するための最良の形態】
【０００７】
本考案について詳細に述べる。
本考案におけるテープ本体の中心軸を保持しカッタ刃を設けたテープカッター固定台は特に規定するものではないが、市販されている卓上用のテープカッター台と同じような形状のものでよく、この卓上用テープカッタ台のカッター刃に隣接してテープ本体側に液体収納用凹部を設ける。液体収納用凹部の寸法としてはテープカッター固定台の大きさに合わせ、その幅はほぼテープの幅に等しく、奥行は
５ｍｍ〜１０ｍｍで深さは１０ｍｍ〜２０ｍｍ程度である。そして、この液体収納用凹部に、凹部に合わせて吸収性の良い布又はスポンジを凹部に嵌め込み、後は凹部に液体を入れ、布又はスポンジに液体を吸収させれば良い。凹部に収納する布等の巾は、凹部の寸法に合わせて５ｍｍ〜２０ｍｍで良く、貼り付けるテープの長さにもよるが、５ｍｍ〜２０ｍｍ位で良く、狭いと液体が付き難く広すぎると液体が付き過ぎて、接着力が弱まり過ぎテープを貼り付けた後で剥がれてくる可能性があるため１０ｍｍ前後がよい。液体収納用凹部に入れる布やスポンジの高さは刃より0.5ｍｍほど高くしておけば液体が付き易い。
【０００８】
使用する液体としては短期間で剥がす時は単純に水を用いることも可能であるが、長期間テープを貼り付けた後剥がすときには水分が蒸発してしまい、弱った接着力が元に戻り剥がしにくく成るため、身近にある家庭用の台所洗剤液などがテープ貼り付けた物体を汚染しにくく又弱った接着力も復元しにくいから使用が好まれる。
【０００９】
本考案においては切断後のテープの端部がロール状のテープ本体の上に戻り付着しないように、液体収納用凹部に隣接して固定板を設置し、これに切断したテープ端部が貼着するようにすることが好ましい。
【００１０】
次に本考案に係るテープカッターを図示する。図１は本考案に係るテープカッター全体の斜視図であり、図２は主要部分の拡大図である。図１において、テープカッター固定台７は、そのほぼ中央部にテープ２を卷回してあるテープロール１の中心軸を支承する部分とその端部にカッター刃５を取り付けたカッター部とからなっており、カッター部の刃５に隣接してテープロール１の側に液体収納用凹部６を設ける。該凹部６に吸収性の良い布４やスポンジ等を入れておき、その布４の端を前記凹部の上部にカッター刃を隣接して固定しておく。凹部６の中に液体を入れると毛細管現象で液体が布やスポンジの表面まで浸み出てくるので、テープの切断部分に液体を塗布することができる。また液体収納用凹部６の横にある刃の反対側に隣接して、切り取った後のテープ端が戻らないようにテープ固定板３を設置することが好ましい。
使用に際してはテープロール１よりテープ２を引き出し、所望の長さの個所を液体収納用凹部に向けて押付けることによって切断個所に液体を塗布し、カッター刃で切断すると、切断個所には液体が塗布してあるので接着力が弱められた状態で被着体に貼着するので剥がすときに剥がし易い。
【実施例】
【００１１】
次に本考案の実施例を以て説明するが、本考案はこの実施例によって制限されるものではない。
実施例１
掲示板に、本考案に係るテープカッターで切断したテープを用いてポスターを貼り付け１週間後に剥がしたところ簡単に剥がすことが出来た。使用した液体は水に台所用洗剤を入れた液体で、これを図１に示したテープカッターの液体収納用凹部に入れ、布を浸してテープの切断個所に塗布した。テープを剥がしたあと掲示板にテープの接着剤が少し附着していたが、湿らした布でふき取ったところ洗剤の効果もありきれいにふき取ることが出来た。
【００１２】
実施例２
使用しているときテープ固定板３からテープ２が剥がれ、テープロール１の方に巻戻されたがテープの端を引っ張るだけで簡単にテープロールから外すことが出来た、今まではテープロールに巻き戻されたテープの端を剥がすのは大変だった。
【００１３】
実施例３
プラスチックの箱に商品を入れ、蓋をしたときに蓋が外れないように本考案のテープカッターで切り取ったテープで四方を固定した。使用した液体は実施例１と同じであった。後日このテープを剥がして開封したところテープは簡単に剥がす事が出来た。
【産業上の利用可能性】
【００１４】
構造的に簡単であるから故障も少なく、安価で作成することも出来る。そして、補充する液体は水でも良いが家庭用台所洗剤液などで接着剤の粘着力を弱める効果のあるものなら何でも間に合わせる事が出来、必要がなくなった時に簡単にテープを剥がす事が出来るので、産業上の利用価値は大いにある。
【図面の簡単な説明】
【００１５】
【図１】本考案のテープカッター全体の斜視図
【図２】主要部分の拡大斜視図
【符号の説明】
【００１６】
１  テープロール    ２  テープ    ３  固定板    ４  液の浸み込んだ布
５  カッターの刃    ６  液体収納用凹部    ７  テープカッター固定台